(57)【要約】【課題】バランスよく調和の取れた水受け皿とこれを備えた受け皿付きポットを生産できるようにした受け皿付きポットの受け皿連結構造を提供できるようにする。【解決手段】有底筒状若しくは下窄まりの有底筒状に形成されたポット本体と、このポット本体の底部に連結機構を介して着脱可能に連結された受け皿とを、ポット本体の底面とこれに対面する受け皿の内面の何れか一方の面に連結用突起を、他方の面にポット本体と受け皿とを相対回転させた時、前記連結用突起が描く回転軌跡に沿って突起受け部を形成し、この突起受け部は突起の回転方向下手側で連結用突起を挟持するように狭隘となるように形成した連結機構で連結した。【選択図】図２
2004201620.tif 000002
【特許請求の範囲】
【請求項１】
有底筒状若しくは下窄まりの有底筒状に形成されたポット本体と、このポット本体の底部に連結機構を介して着脱可能に連結された受け皿とからなり、連結機構は、ポット本体の底面とこれに対面する受け皿の内面の何れか一方の面に連結用突起を、他方の面にポット本体と受け皿とを相対回転させた時、前記連結用突起が描く回転軌跡に沿って突起受け部を形成するとともに、この突起受け部は突起の回転方向下手側で連結用突起を挟持するように狭隘となるように形成したことを特徴とする受け皿付きポットの受け皿連結構造。
【発明の詳細な説明】
【０００１】
【発明の属する技術分野】
本発明は受け皿付きポットの受け皿連結構造に関するものである。
【０００２】
【従来の技術】
室内観賞用の植木ポットでは、潅水時にはポット本体を一端室外に持ち出し、給水した後、水切りをしてから再び室内に設けるようにしているが、水切りをしたつもりでも室外から室内に運ぶ時に雫が垂れることが多い。
また、こうした雫の垂れを防止するには充分に水切りをすることが必要であるが、水切りを終了する目安がなく、早く終了してしまうと雫が垂れる問題が残り、必要以上に水切りをする場合には多大の時間を要してしまうという問題があった。
そこでよく行なわれているのが、水の垂れそうなポット本体の底部分に薄皿状の水受け皿をあてがった状態でポット本体を移動させ、そのまま所望の場所に設置するようにしている。
【０００３】
こうしたものでは、水受け皿とポットとの組み合わせにミスマッチが多くなるだけでなく、バランスをよくするためには、ポット本体を常時水受け皿の中央に位置するようにしなくてはならず、保守に手間がかかるという問題がある。
かかる問題に対しては例えばありほぞとありみぞとの組み合わせた一般的な連結機構により、ポット本体を水受け皿の所定位置に着脱可能に連結することが考えられる。
【０００４】
【発明が解決しようとする課題】
ところが、上記のようなありほぞとありみぞの組み合わせ等による連結機構では水受け皿とポット本体が金型で成形されるものの場合、移動型の金型にするか、消失形の中子式にしなくてはならず、高価な金型がさらに複雑な金型にしなくてはならず、イニシャルコストが高くなってしまうという問題があるだけでなく、１ショットで成形される個数も限られてくることから生産製が低下するという問題もある。
そこで、本発明は上記問題点に鑑みて提案されたもので、バランスよく調和の取れた水受け皿とこれを備えた受け皿付きポットを生産できるようにした受け皿付きポットの受け皿連結構造を提供できるようにすることを目的とするものである。
【０００５】
【課題を解決するための手段】
上記目的を達成するために本発明にかかる受け皿付きポットの受け皿連結構造は、有底筒状若しくは下窄まりの有底筒状に形成されたポット本体と、このポット本体の底部に連結機構を介して着脱可能に連結された受け皿とからなり、連結機構は、ポット本体の底面とこれに対面する受け皿の内面の何れか一方の面に連結用突起を、他方の面にポット本体と受け皿とを相対回転させた時、前記連結用突起が描く回転軌跡に沿って突起受け部を形成するとともに、この突起受け部は突起の回転方向下手側で連結用突起を挟持するように狭隘となるように形成したことを特徴とするものである。
【０００６】
【発明の実施の形態】
以下、本発明の受け皿付きポットの受け皿連結構造にかかる望ましい実施の一形態を図面に基づいて説明する。
図１は受け皿付きポットの使用状態を示す斜視図であって、図中符号１は吊持具であり、符号２は吊持具１に装着された受け皿付きポットを全体的に示す。
この吊持具１は、縦長のアーチ状に形成された二つのフレーム３・３を平面視で交差するように組立て、底部に円形の載置台４を設けるとともに上端部にはダイヤ形の吊持部５が形成されている。
【０００７】
上記受け皿付きポット２は、有底筒状若しくは下窄まりの有底筒状に形成されたポット本体６と、連結機構７を介してポット本体６の底部に着脱可能に連結された受け皿８とからなる。
ポット本体６は、図１及び図２に示すように上端周縁部分６ａが例えば朝顔の花弁のように波をうった状態で外方に広げられており、下窄まりのテーパ状周壁の下寄り部は段落ち小径部６ｂに形成されている。
また、ポット本体６の底部６ｃには下方に膨出した部分６ｄに２つの短寸の連結用突起９・９が下方に突出されるとともに、その周囲には長孔で形成された水抜き孔１１が四本放射状に穿設されている（図２参照）。
尚、この水抜き孔１１は排水だけでなく通気性を確保する機能も兼ねる。
【０００８】
上記ポット本体６の底部６ｃに着脱可能に連結される受け皿８は、着色された透明の合成樹脂で上周縁部分８ａが上記下窄まりのテーパ状周壁の下寄り部は段落ち小径部６ｂに緩く外嵌するように上広がりの椀状に形成されている。
また、受け皿８の底部８ｂには上記ポット本体６の底部６ｃに形成された連結用突起９・９を受け止める突起受け部１２が形成されている。
この突起受け部１２は、図３に示すようにポット本体６と受け皿８とを相対回転させた時、ポット本体６の底部６ｃに形成された連結用突起９・９が描く回転軌跡Ｘに沿って連結突起９・９の両側に近接する押圧面１３・１３を対面する状態で形成してある。
【０００９】
そして対面する押圧面１３・１３間の幅Ｗは、連結用突起９・９の回転軌跡Ｘの回転方向下手側で連結用突起９・９を挟持するように徐々に狭隘となるように形成し、この突起受け部１２とポット本体６の底部６ｃの連結用突起９・９とで連結機構７が形成される。
上記のように連結機構７が、突起受け部１２が連結用突起９・９とで形成されると、ポット本体６及び受け皿８とは対抗する一対の金型で成形することができる。
【００１０】
上記のように形成された受け皿付きポット２に潅水する手順を次に説明する。先ず、花等の植物は省略したが、図１に示すように吊持具１に装着された受け皿付きポット２は、その上周縁６ａの花弁形部分が縦長のアーチ状のフレーム３・３に当接して載置台４の中央部分に設置されるので、受け皿付きポット２を装着したフレーム３・３が吊持部５で吊持されたときに揺れた場合でも、受け皿付きポット２が載置台４上をずれ動くことはなくなる。
そして、この受け皿付きポット２に潅水するためにアーチ状のフレーム３・３から取出す場合、フレーム３・３を弾性変形させて受け皿付きポット２を取出した後、受け皿８若しくはポット本体６或いは双方を、連結用突起９・９が上記回転軌跡Ｘの方向とは逆の方向に移動する方向に相対回転させる。
【００１１】
すると、この回転でポット本体６の底部６ｃに形成された連結用突起９・９が上記回転軌跡Ｘとは逆の方向に回転し、これまで連結用突起９・９の両側を押圧していた押圧面１３・１３の挟持が解消されるので、受け皿８はポット本体６の底部６ｃから下方に外れる。
次に、ポット本体６部分に充分に潅水してから、粗方水切りをすると受け皿８を、ポット本体６の底部６ｃと同芯状にし、受け皿８の上周縁部分８ａがポット本体６の段落ち小径部６ｂに緩く外嵌する状態で受け皿８若しくはポット本体６或いは双方を、連結用突起９・９が上記回転軌跡Ｘの方向に移動する方向に相対回転させる。
【００１２】
この相対回転でポット本体６の底部６ｃに形成された連結用突起９・９が回転軌跡Ｘに沿って突起受け部１２内を移動し、連結突起９・９がその両側を押圧面１３・１３で挟持されるので、その結果、受け皿８はポット本体６の底部６ｃに確りと連結される。
この状態でこの受け皿付きポット２をフレーム３・３の場所に運び、フレーム３・３を弾性変形させて受け皿付きポット２を載置台４に載置すると潅水作業が終了する。
この潅水場所からフレームの吊持されている場所に移動する時に、ポット本体６の底部６ｃに穿設された水抜き孔１１から水が垂れた時、これを受け皿８が子らを受け止めるので、周囲を濡らしたり汚したりすることがない。
【００１３】
また、本例のように、受け皿８を透明の樹脂で成形したものの場合、水抜き孔１１から排出された水の量を知ることができ、多い場合は受け皿８から溢れる前に排水することができる。
尚、上記実施の形態ではポット本体６の上周縁部分を波打たせて花弁がたにしてあるが、こうした形状に限られず、円筒形は勿論のこと、図示は省略したが角筒形のポット本体にも実施することができる。
更に、上記実施の形態では、連結機構７の連結用突起９・９を二つで形成するようにしてあるがこれを１つにすることや３つ以上にすることができるのは勿論である。
また連結用突起図上のような短寸の円柱形に限られず、角柱にして摩擦力を増大させることもできる。
加えて、上記実施の形態では受け皿８に突起受け部１２を、ポット本体６の底部６ｃに連結用突起９・９を形成して連結機構７を形成するようにしてあるが、これを受け皿８に連結用突起９・９・を、ポット本体６に突起受け部１２を形成して連結機構７を形成することも可能である。
【００１４】
【発明の効果】
以上に説明したように本発明にかかる受け皿付きポットの受け皿連結構造は、ポット本体と受け皿とを連結する連結機構を、ポット本体の底面とこれに対面する受け皿の内面の何れか一方の面に連結用突起を形成し、他方の面にポット本体と受け皿とを相対回転させた時、前記連結用突起が描く回転軌跡に沿って突起受け部を形成するとともに、この突起受け部は突起の回転方向下手側で連結用突起を挟持するように狭隘となるように形成するようにしてある。
従って、ポット本体とこれに連結される受け皿を成形するための金型は消失型の中子式や移動型にしなくてもすみ、従来通りの簡単な構造のものにして金型のイニシャルコストを高くすることなく、バランスよく調和の取れた水受け皿とこれを備えた受け皿付きポットを大量生産することができる利点がある。
【図面の簡単な説明】
【図１】は本発明の受け皿連結構造を有する受け皿つきポットの使用状態の斜視図である。
【図２】は本発明の受け皿連結構造部分の分解斜視図である。
【図３】は本発明にかかる受け皿連結構造の受け皿部分の平面図である。
【符号の説明】
６・・・ポット本体
６ａ・・・ポット本体の底部
７・・・連結機構
８・・・受け皿
９・・・連結用突起
１２・・・突起受け部
Ｘ・・・回転軌跡
【図１】
2004201620.tif 000003
【図２】
2004201620.tif 000004
【図３】
2004201620.tif 000005